(57)【要約】      （修正有）【課題】  軽便で楽な姿勢で作業ができる果実袋掛け具を提供する。【解決手段】  長柄先端の基板（２）上に、上端部外側に浅い掛止溝（３ａ）を有し、且つ下端が円陣中央上方に反転曲折した細長い湾曲板（３）を花弁状に数個枢着し、該曲折部の下にコイルスプリング（８）を具備して該曲折部を上方に付勢させる。更に該曲折部の先を、押下円盤（６）と規制円盤（６ａ）とをロッドで繋いで一体にした部材の間に挟入させ、該規制円盤を上記反転曲折部の内側に当接させて該湾曲板の回動を規制させ、更に該円盤部材をケーブルワイヤー（１５）と係合させる。これにより通常は湾曲板がコイルスプリングに付勢されて開花状に開き、且つ回動が規制されているが、ケーブルワイヤーの牽引に伴い円盤が湾曲板下端を押下し、それに従って上端を蕾状に閉じる構造の袋口絞束機構を設ける。【選択図】図１
0003118132.tif 000002
【実用新案登録請求の範囲】
【請求項１】
上端部近くに掛止溝もしくは掛止部材を有する複数の湾曲板を円陣状にして基板に枢着し、更に該湾曲板が開花状に開いた時の外周付近にあって、且つ上記掛止溝、もしくは掛止部材と同等高さの位置に、先端部が細まり、且つ該先端近くの側面に鉤を具備した鉤棒を、直接もしくは駆動力伝達媒体を介して同基板上に枢着するか、もしくは着脱容易な遊離部材として同位置に配置した機構。
【請求項２】
円陣状に枢着した複数の湾曲板の下端近くに、該湾曲板の回動を規制する円盤もしくはこれに相当する部材を、離脱可能な状態で当接させた、請求項１の機構。
【請求項３】
ゴム輪と紐輪とを結合し、該結合箇所に掛止部材を設けたものを専用消耗部材として用いた、請求項１の機構。
【考案の詳細な説明】
【技術分野】
【０００１】  本考案は果樹栽培に於いて果実に保護袋を被包させる為の袋掛け具に関するものである。
【背景技術】
【０００２】  果実への袋掛けは、常に上を向いて手を伸ばし、夥しい数の果実一つひとつに袋を被せて口元を縛るという作業であり、大変な重労働と言える。果樹の種類によっては手が届き難い場所に生っている場合もあり、特に難儀な作業となる。【０００３】  これまでにも何点かの袋掛け具が考案されてはいるが、いずれも一長一短があって、栽培農家が満足する有効な器具は開発されておらず、未だに多くが手作業で行われている。
【考案の開示】
【考案が解決しようとする課題】
【０００４】  斯様な現状に鑑み、比較的軽便で、楽な姿勢で作業ができる果実袋掛け具を提供する為に本考案がなされた。
【課題を解決させる為の手段】
【構成】
【０００５】  本考案の果実袋掛け具には対象とする果樹の種類によっていくつかの実施例が考えられるが、先ず第一実施例について詳細に説明し、その他の実施例については、その相違点を中心に後述する。
【０００６】  第一実施例では主として長柄（１）、袋口絞束機構（Ａ）、紐輪捲張機構（Ｂ）及び二個の操作ハンドル（２０、２０’）で構成され、長柄（１）の先端部に袋口絞束機構（Ａ）と紐輪捲張機構（Ｂ）が配置され、長柄の後方には該絞束機構及び紐輪捲張機構を操作する為の操作ハンドルが２個連装される。
【０００７】  長柄（１）はパイプ状で、作業性を考慮して略Ｚ字状に湾曲している。
【０００８】  長柄の先端部には基板（２）が着装されており、該基板上面の前方寄りに袋口絞束機構（Ａ）が具備されている。該袋口絞束機構では数個の軸受（４）が円陣状等間隔に基板（２）に装着され、各軸受の間には細長い花弁状の湾曲板（３）がシャフトピン（５）によって該軸受に同数枢着され、開花形状を成している。
【０００９】  湾曲板（３）の上端部外側には横方向の浅い掛止溝（３ａ）があり、且つ下端が、即ちシャフトピン部から先が円陣中央上方に向けて反転曲折している。反転曲折した先の小頭部（３ｂ）は丸みを帯びているが、該小頭部の下側には軒下状の切り欠き部（３ｃ）が設けられている。
【００１０】  該小頭部（３ｂ）の上には、該小頭部より若干の空隙を空けて押下円盤（６）があり、又切り欠き部（３ｃ）に当接してやや厚めの規制円盤（６ａ）があって、両円盤は中心部のロッドで結ばれ一体構造にある。即ち湾曲板の小頭部（３ｂ）並びに切り欠き部（３ｃ）が両円盤の間に挟入された状態にある。
【００１１】  規制円盤（６ａ）の下にはコイルスプリング（８）があって該規制円盤と共に小頭部（３ｂ）を上方に付勢している。
【００１２】  押下円盤（６）及び規制円盤（６ａ）は、該規制円盤（６ａ）の下側中心部で連結棒（７）と係合しており、該連結棒はコイルスプリング（８）の内側を抜けて基板（２）の下側に伸び、そこでリンケージ（９）を介してケーブルワイヤー（１５）と係合している。
【００１３】  袋口絞束機構（Ａ）より後方寄りの同基板（２）には、逆櫓形の上部にリール（１１）を備え、これと回転軸を同じくして、該逆櫓形の下部にピニオンギヤ（１２）を備えた紐輪捲張機構（Ｂ）が枢設されており、該リール（１１）の高さは上記湾曲板の掛止溝（３ａ）の高さと同等にある。更に該リール上の枢軸（１１ａ）には、その先端部が弾頭状に細まり、且つ該先端部（１０ｂ）近くの内側にフック（１０ａ）を具備した鉤棒（１０）が、該フックが上記湾曲板が開花状に開いた時の外周接線付近に位置するようにして横向きに枢着されている。該鉤棒の胴部、即ち枢軸（１１ａ）寄りの部分はリール（１１）の外周円と同心円状に湾曲している。
【００１４】  ピニオンギヤ（１２）は内接セクタギヤ（１３）と係合していて、該内接セクタギヤは枢軸（１３ａ）によって基板（２）に枢着され、更にケーブルワイヤー（１６）と係合している。
【００１５】  内接セクタギヤ（１３）がケーブルワイヤー（１６）と係合する部位にはスプリング（１７）があって、該内接セクタギヤを前方に付勢している。
【００１６】  袋口絞束機構（Ａ）と紐輪捲張機構（Ｂ）との間の、リール（１１）の外周直近には振れ止め柱（１４）が基板（２）に立設されている。
【００１７】  基板の後端部、即ち長柄（１）が下方へ湾曲する直近には２個の滑車（１８、１９）があり、これにケーブルワイヤー（１５、１６）が掛架されている。
【００１８】  二本のケーブルワイヤー（１５、１６）は一般にボーデンケーブルと呼ばれるもので、多数の細い鋼線を撚って作られたインナーケーブル（１５ａ、１６ａ）を鋼線を螺旋状に巻いたアウターチューブ（１５ｂ、１６ｂ）が被包した構造にあり、比較的柔軟に湾曲させ得る。
【００１９】  袋口絞束機構側のケーブルワイヤー（１５）は滑車（１８）を経由して前寄りのハンドル（２０）に係合し、紐輪捲張機構側のケーブルワイヤー（１６）は滑車（１９）及び長柄内部を経由して後寄りのハンドル（２０’）に係合している。
【００２０】  双方のハンドル（２０、２０’）は全く同じ構造にあり、握りボルト（２１、２１’）を緩めれば、長柄の湾曲部を越えない範囲で、長柄に沿っての移動が可能である。
【００２１】  該ハンドルにはレバーピン（２３、２３’）があって、これにレバー（２２、２２’）が枢着されており、更に該レバーはサブレバーピン（２１、２１’）部で上下に二分割され、レバー下片（２２ａ、２２ａ’）が反ハンドル方向に回動可能な構造にある。
【００２２】  レバー上片（２２ｂ、２２ｂ’）はスプリング（２５、２５’）により前方に付勢されており、レバー下片（２２ａ、２２ａ’）はストッパーの規制範囲内でサブレバーピン（２４、２４’）部から垂下している。
【００２３】  ケーブルワイヤー（１５、１６）はレバー上片（２２ｂ、２２ｂ’）とレバー下片（２２ａ、２２ａ’）との間に挿通されているが、レバー下片が垂下した状態では係合関係はなく、自由である。しかしレバー下片（２２ａ、２２ａ’）がハンドル方向へ牽引された時にはレバー上片（２２ｂ、２２ｂ’）の下端面とレバー下片（２２ａ、２２ａ’）の上端面とが対向して挟持体を構成し、両端面間を挿通させたケーブルワイヤーを狭持する。
【００２４】  挟持体の対向面には被挟持物であるケーブルワイヤー（１５、１６）の損耗を抑制し、且つ把握を確実にする加工が施されている。
【００２５】  挟持体間に挿通されたケーブルワイヤー（１５、１６）の後端部はハンドルの握り部近くに明けられた貫通孔（２０ａ、２０ａ’）から後方に抜けており、該後端部ではアウターチューブの端末スリーブ（１５ｄ、１６ｄ）がインナーケーブルの端末係止部材（１５ｃ、１６ｃ）に当接している。
【専用消耗部材】
【００２６】  本考案の果実袋掛け具を使用する際、円錐形掛止部材（２６ａ）の底辺側にゴム輪（２６）を、又同先端側に紐輪（２６ｂ）をそれぞれ固結したものを、袋（２７）と共に専用消耗部材として用いる。
【各部品の働きと相互関係】
【００２７】  本考案の袋掛け具を使用する際、使用者は予め開花状に開いている数枚の湾曲板（３）の中央に果実保護袋（２７）を、上向きに口を開いて置き、鉤棒（１０）の弾頭形先端部（１０ｂ）にゴム輪（２６）を掛着し、各湾曲板の掛止溝（３ａ）に連架した後、紐輪（２６ｂ）をフック（１０ａ）に掛着する。
【００２８】  数枚の花弁形状をした湾曲板（３）は、これが蕾み状に閉じた時に、予めその中央に置かれた袋（２７）の口を絞束すると共に、該湾曲板の上端外周の掛止溝（３ａ）に連架されたゴム輪（２６）が自らの弾性によって該掛止溝（３ａ）から自然に滑脱して袋口周囲に転位するのを容易にする。
【００２９】  湾曲板（３）の上端近く外周部にある浅い掛止溝（３ａ）は、未だ湾曲板が開花状に開いている状態で、各湾曲板に連架されたゴム輪（２６）が湾曲板から勝手に滑脱するのを防ぐ働きをし、該湾曲板下端にある切り欠き部（３ｃ）は、これに当接する規制円盤（６ａ）との相互作用により、ゴム輪（２６）の収縮力によって湾曲板が窄まるのを防ぐ働きをする。
【００３０】  湾曲板（３）は、普段コイルスプリング（８）に付勢されて開花状に開いており、更に切り欠き部（３ｂ）と規制円盤（６ａ）との相互作用によってその回動が規制されているが、ケーブルワイヤー（１５）が後方へ牽引された時にはリンケージ（９）及び連結棒（７）に従動して押下円盤（６）及び規制円盤（６ａ）が降下し、これに伴い該規制円盤が切り欠き部（３ｂ）から離脱して回動規制が解除され、同時に押下円盤（６）が小頭部（３ｂ）を押下し、全ての湾曲板（３）が回動して蕾み状に閉じる。
【００３１】  鉤棒（１０）は普段開花状に開いた湾曲板（３）の外周近傍にあるが、ケーブルワイヤー（１６）が後方へ牽引された時には内接セクタギヤ（１３）が回動し、それに従動してピニオンギヤ（１２）及びリール（１１）が回動して該鉤棒（１０）が湾曲板（３）から遠ざかり、該鉤棒のフック（１０ａ）に掛着された紐輪を牽引する。
【００３２】  鉤棒の弾頭形先端部（１０ｂ）は、湾曲板が蕾み状に閉じられた時に、該先端部に掛着されたゴム輪が滑脱するのを容易にしている。又該鉤棒の胴部、即ち枢軸（１１ａ）寄りの部分はリール（１１）の外周円と同心円状に湾曲しており、該リールが回動した際、弾頭形先端部が可能な限りリールの外周に近付き、フック（１０ａ）に掛着された紐輪（２６ｂ）の自然脱落を防止している。
【００３３】  フック（１０ａ）は、各湾曲板の掛止溝（３ａ）に連架された紐輪（２６ｂ）を掛着し、これを引き寄せる為にあり、更に弾頭形先端部（１０ｂ）との相互作用により、ゴム輪（２６）の中に紐輪（２６ｂ）を挿通させる働きをする。
【００３４】  リール（１１）は紐輪（２６ｂ）を鉤棒（１０）と共に引き寄せ、自らに捲胴させる働きをする。
【００３５】  振れ止め柱（１４）はゴム輪（２６）が鉤棒（１０）に掛着される際、該鉤棒がゴム輪（２６）の収縮力によって従動するのを防ぐ働きをする。
【００３６】  全体的な働きとしては、ハンドル（２０）のレバー下片（２２ａ）が握られると、ケーブルワイヤー（１５）が後方へ牽引され、これに従動してリンケージ（９）及び連結棒（７）を介して押下円盤（６）が下降すると同時に規制円盤（６ａ）が湾曲板の切り欠き部（３ｃ）から離脱する。これによって湾曲板の回動規制が解除されると共に、小頭部（３ｂ）が押下されて全ての湾曲板（３）が内側に回動し、蕾み状に閉じる。この動きに伴い花弁状の湾曲板中央に置かれた袋の口が絞束されると同時に、予め各掛止溝（３ａ）に連架されたゴム輪（２６）が自らの弾性によって掛止溝から滑脱し、袋口外周に自然に転位する。更にこれに従動して鉤棒（１０）に掛着されたゴム輪（２６）が弾頭形先端部（１０ｂ）から滑脱し、自らの輪の中に紐輪（２６ｂ）を挿通させた状態となる。
【００３７】  更にもう一方のレバー下片（２２ａ’）が握られると、ケーブルワイヤー（１６）が後方へ引かれ、これによって内接セクタギヤ（１３）を介してピニオンギヤ（１２）並びにプーリー（１１）が回動して鉤棒（１０）が後退し、フック（１０ａ）に掛着された紐輪（２６ｂ）がプーリーに捲張されて引き絞られ、円錐形掛止部材（２６ａ）がゴム輪を抜け出る。即ちゴム輪は掛止されて復元不能となり、袋口が恒久的に絞止される。
【００３８】  レバー（２２、２２’）が挟持して後方へ引くのはケーブルワイヤーのアウターチューブ（１５ｂ、１６ｂ）であり、該アウターチューブの端末スリーブ（１５ｄ、１６ｄ）が後端部でインナーケーブルの端末係止部材（１５ｃ、１６ｃ）に当接して駆動力をインナーケーブルに伝達し、この動きに伴ってリンケージ（９）や内接セクタギヤ（１３）が回動する。
【００３９】  レバー（２２、２２’）が放された時には、湾曲板（３）はコイルスプリング（８）の付勢力で開花状に開き、鉤棒（１０）は内接セクタギヤ（１３）を付勢しているスプリング（１７）の作用で、リール（１１）に伴って回帰する。
【００４０】  ケーブルワイヤー（１５、１６）はレバー下片（２２ａ、２２ａ’）が引かれた時以外は挟持されておらず自由である為、握りボルト（２１、２１’）を緩めるだけで、目的の果実との距離や作業性に応じてハンドル位置の移動が可能である。
【００４１】  専用消耗部材のゴム輪（２６）は袋口を絞止する働きをするが、その際円錐形掛止部材（２６ａ）がゴム輪を掛止して復元を阻止する。紐輪（２６ｂ）は円錐形掛止部材のゴム輪からの抜出を誘導する働きをする。
【使用方法】
【００４２】  上記した通り、本考案の袋掛け具を使用する際、使用者は予め開花状に開いている湾曲板（３）の中央に果実保護袋（２７）を、上向きに口を開いて置き、鉤棒の弾頭形先端部（１０ｂ）にゴム輪（２６）を掛着し、各湾曲板の浅い掛止溝（３ａ）に連架した後、紐輪（２６ｂ）をフック（１０ａ）に掛着する。
【００４３】  目的の果実との距離を調節する場合は、握りボルト（２１、２１’）を緩めてハンドル（２０、２０’）の固定位置を調節する。
【００４４】  目的の果実に袋が届いた時点で、当該果実が袋内に入るように下から支え上げ、袋口絞束機構側のレバー（２２）を引き、続いて紐輪捲張機構側のレバー（２２’）を引く。
【００４５】  袋口絞束機構側のレバー（２２）の操作により湾曲板（３）が蕾み状に閉じて袋口を絞束すると同時に、該湾曲板の上端外周に連架されたゴム輪（２６）が掛止溝（３ａ）から滑脱して袋口の外周に転位し、更に鉤棒（１０）に掛着されたゴム輪も弾頭形先端部（１０ｂ）から滑脱して、ゴム輪の中に紐輪（２６ｂ）を挿通させた状態となる。
【００４６】  紐輪捲張機構側のレバー（２２’）が引かれるのに伴い内接セクタギヤ（１３）、ピニオンギヤ（１２）、プーリー（１１）が回動し、これに従動して鉤棒（１０）が後退してフック（１０ａ）に掛着された紐輪（２６ｂ）を捲張して引き絞る。これに伴ってゴム輪と紐輪との間にある円錐形掛止部材（２６ａ）がゴム輪から抜出され、ゴム輪は掛止されて復元不能となり、袋口が恒久的に絞止される。
【００４７】  最後にレバー（２２、２２’）を放してフック（１０ａ）から紐輪を外し、湾曲板（３）を開いて器具全体を外す。万一フックに掛着したひも輪が離脱し難い場合は、先に湾曲板を開いて果実から器具を外し、器具全体を横に傾ける。これにより鉤棒（１０）が器具から垂下してフック口が前方上方に向き、離脱が容易となる。
【００４８】  紐輪は袋と共に当該果実の傍らに残留する。
【考案の効果】
【００４９】  本考案の袋掛け具を用いる事により、果実の袋掛け作業が軽減され、特にこれまで手が届き難い場所にあった果実への保護袋の被包も比較的容易になる。
【考案を実施するための最良の形態】
【００５０】  本明細書では説明を容易にする観点から湾曲板数を四枚で示したが、一般に用いられる果実袋の性質からすれば湾曲板数を多くし、可能な限り周囲を均一に絞束する事が効果的である。
【実施例】
【００５１】  これまで高所に果実が生っている事を前提にした第一実施例について述べたが、果樹の中には必ずしも果実が高所にはなく、棚掛けされた、容易に手の届く高さに生っている場合も多い。又果実によっては外周の大きさに比して縦方向が長い果実もある。斯様な条件を考慮した第二実施例を図６並びに図７に示す。【００５２】  第二実施例では長柄を用いず、基板（２’）の下に直接ハンドル（２０”）が装着されており、該ハンドルに枢着されたリンクレバー（２２”）が直接連結棒（７）と係合している。即ちリンクレバー（２２”）が牽引されると、他の駆動力伝達媒体を介さずに連結棒（７）、押下円盤（６）並びに規制円盤（６ａ）が降下する構造にある。【００５３】  湾曲板（３’）は、比較的縦に長い果実を想定して長めになっており、先端部外側には掛止溝がなく、替わって掛止部材（３ｄ’）が一部の湾曲板に枢着されており、該掛止部材がリンケージ（３ｅ’）を介して支柱（２８）の上部と係合している。即ち、該湾曲板が開花状に開いている時は該掛止部材（３ｄ’）の先端部が湾曲板より外側に突出しているが、該湾曲板が蕾み状に閉じると該先端部が回動して突出部が後退する構造にある。【００５４】  支柱（２８）は、湾曲板が開花状に開いた外周近くの基板上に複数本立設されている。【００５５】  該支柱とは別のスリーブ支柱（１４’）が多少離れた位置の基板上に同様にして立設されており、該スリーブ支柱の上端には短い角形管状の角形スリーブ（１４ａ’）が前後に向け取り付けられ、更に該角形スリーブの支柱と反対側には前後にスリット（１４ｂ’）が切られている。【００５６】  該角形スリーブには適当な長さの紛失防止ワイヤー（１０ｅ’）が結着されており、該紛失防止ワイヤーの先端には、鉤棒（１０’）が結着されている。即ち該鉤棒は器具本体から遊離状態にある。【００５７】  鉤棒（１０’）の先端は弾頭形に細まり、該先端部にはフック（１０ａ’）があり、又後方が角棒状になっており、更にその後端部には係止座金（１０ｃ’）及び指掛け輪（１０ｄ’）がある。該角棒部分は上記角形スリーブ（１４ａ’）に遊嵌し、且つ先端部が湾曲板の外周付近に到達する寸法にある。【００５８】  使用方法は第一実施例と同様に予め開花状に開いた湾曲板（３’）の中央に保護袋（２７）を置き、フック（１０ａ’）を内側にして鉤棒（１０’）を角形スリーブ（１４ａ’）に後方より挿入し、該鉤棒にゴム輪（２６）を掛着して各湾曲板の掛止部材（３ｄ’）に連架した後、紐輪（２６ｂ）をフック（１０ａ’）に掛着する。【００５９】  目的の果実の下から、本器具を支え上げて該当の果実を袋に入れ、基板下のリンクレバー（２２”）を引く。これによって湾曲板（３’）が回動して蕾み状に閉じると共に袋口を絞束し、同時に掛止部材（３ｄ’）が回動して掛止能力が失われ、該掛止部材に連架されたゴム輪（２６）が湾曲板から滑脱して袋口に自然に転位し、鉤棒（１０’）からもゴム輪が滑脱して、該ゴム輪の中に紐輪（２６ｂ）を挿通させた状態となる。【００６０】  続いて使用者が鉤棒の指掛け輪（１０ｄ’）に指を掛けて該鉤棒を後方に牽引すると、紐輪（２６ｂ）が絞られ、円錐形掛止部材（２６ａ）がゴム輪から抜出さ���て、ゴム輪は掛止状態で復帰不能となり、袋口が恒久的に絞止される。その際角形スリーブ（１４ａ’）の側面に切られたスリット（１４ｂ’）から紐輪を側方に導出し、紐輪の牽引方向を多少変える事により、円錐形掛止部材（２６ａ）のゴム輪からの抜出がより容易になる。【００６１】  最後にレバー（２２”）の握りを放して湾曲板を開いて器具を果実から外し、鉤棒から紐輪を外す。
【図面の簡単な説明】
【００６２】
【図１】は第一実施例に於ける本考案全体を示す側断面図である。
【図２】は第一実施例に於ける本考案全体を示す外観斜視図である。
【図３】は本考案器具の使用段階で専用消耗部材として用いる、円錐形掛止部材及び紐輪付きゴム輪の外観斜視図である。
【図４】は第一実施例に於いて、本考案器具に果実保護袋を置き、鉤棒並びに各湾曲板の周囲にゴム輪を連架した状態を示す外観斜視図である。
【図５】は第一実施例に於いて、リールが回動してゴム輪が袋口を絞止した状態を示す外観斜視図である。
【図６】は第二実施例に於ける構造全体を示す側断面図である。
【図７】は第二実施例に於ける構造全体を示す外観斜視図である。
【符合の説明】
【００６３】Ａ：袋口絞束機構、  Ｂ：紐輪捲張機構、  １：長柄、  ２：基板、  ２’：基板、  ３：湾曲板、  ３’：湾曲板、  ３ａ：掛止溝、  ３ｂ：小頭部、  ３ｃ：切り欠き部、  ３ｄ’：掛止部材、  ３ｅ’：リンケージ、  ４：軸受、  ５：シャフトピン、  ６：押下円盤、  ６ａ：規制円盤、  ７：連結棒、  ８：コイルスプリング、  ９：リンケージ、  １０：鉤棒、  １０’：鉤棒、  １０ａ：フック、  １０ａ’：フック、  １０ｂ：弾頭形先端部、  １０ｂ’：弾頭形先端部、  １０ｃ’係止座金、  １０ｄ’：指掛け輪、  １０ｅ’：紛失防止ワイヤー、  １１：プーリー、  １１ａ：枢軸、  １２：ピニオンギヤ、  １３：内接セクタギヤ、  １３ａ：枢軸、  １４：振れ止め柱、  １４’：スリーブ支柱、  １４ａ’：角形スリーブ、  １４ｂ’：スリット、  １５：ケーブルワイヤー、  １５ａ：インナーケーブル、  １５ｂ：アウターチューブ、  １５ｃ：端末係止部材、  １５ｄ：端末スリーブ、  １６：ケーブルワイヤー、  １６ａ：インナーケーブル、  １６ｂ：アウターチューブ、  １６ｃ：端末係止部材、  １６ｄ：端末スリーブ、  １７：スプリング、  １８、：滑車、  １９：滑車、  ２０：ハンドル、  ２０ａ：貫通孔、  ２０’：ハンドル、  ２０ａ’：貫通孔、  ２０”：ハンドル、  ２１：握りボルト、  ２１’：握りボルト、  ２２：レバー、  ２２’：レバー、  ２２ａ：レバー下片、  ２２ａ’：レバー下片、  ２２ｂ：レバー上片、  ２２ｂ’：レバー上片、  ２２”：リンクレバー、  ２３：レバーピン、  ２３’：レバーピン、  ２３”：レバーピン、  ２４：サブレバーピン、  ２４’：サブレバーピン、  ２５：スプリング、  ２５’：スプリング、  ２６：ゴム輪、  ２６ａ：円錐形掛止部材、  ２６ｂ：紐輪、  ２７：果実保護袋、  ２８：支柱。
【図１】
0003118132.tif 000003
【図２】
0003118132.tif 000004
【図３】
0003118132.tif 000005
【図４】
0003118132.tif 000006
【図５】
0003118132.tif 000007
【図６】
0003118132.tif 000008
【図７】
0003118132.tif 000009